(57)【特許請求の範囲】
【請求項１】
一対のパネル体を連結部材を用いて連結するにあたり、各パネル体の連結面の連結幅方向中間部に、対向する連結面側に向けて突出し、突出端部にガイド面が形成された連結突片を形成する一方、前記連結部材を、連結面の連結幅方向一方の端縁部側に沿って設けられ、各パネル体の連結突片の一方側面にそれぞれ当接する一対の脚片とこれら脚片を連結する連結片とを備えた第一連結体と、連結面の連結幅方向他方の端縁部側に沿って設けられ、各パネル体の連結突片の他方側面に当接する一対の脚片とこれら脚片を連結する連結片とを備えた第二連結体と、第一、第二連結体の連結片の対向間に、対向方向移動自在に配される第三連結体とにより構成し、前記第三連結体に、該第三連結体の第一、第二連結体の何れか一方に変位して一体化することにより、各パネル体の連結突片に干渉して各パネル体の連結面同士を近接させる作動片と、前記第三連結体の一方への変位により、他方の連結体の脚片に形成された係止片に係止して他方の連結体の抜止めをする係止受け片とを形成したパネル体の連結構造。
【請求項２】
連結突片は、突出端部に突出先端側ほど他方の連結体側に偏寄する傾斜状のガイド面を備えたガイド片を形成する一方、第三連結体の作動片に、突出先端側ほど一方の連結体側に偏寄する傾斜状のガイド受け面を形成し、作動片の一方への変位に伴い、ガイド面がガイド受け面の突出基端側に向けて変位して、パネル体の連結面同士を近接させるように構成されている請求項１に記載のパネル体の連結構造。
【請求項３】
パネル体の連結突片は、第一、第二連結体にそれぞれ対向する一対の突片により構成され、ガイド片は一方の突片の突出先端部に形成されている請求項１または２に記載のパネル体の連結構造。
【請求項４】
第三連結体を一方の連結体側に変位せしめて一方の連結体に一体化する一体化手段は、一方の連結体側から螺入した螺子により構成されている請求項１乃至３の何れか１項に記載のパネル体の連結構造。
【請求項５】
第三連結体には、一方の連結体の脚片に形成された係止片に係止して一方の連結体の抜け止めをする係止受け片が形成されている請求項１乃至４の何れか１項に記載のパネル体の連結構造。
【請求項６】
連結部材は、一対のパネル体の端面同士を連結するように構成されている請求項１乃至５の何れか１項に記載のパネル体の連結構造。
【請求項７】
連結部材は、一方のパネル体の端面と、他方のパネル体のパネル面とを連結するように構成されている請求項１乃至５の何れか１項に記載のパネル体の連結構造。
【発明の詳細な説明】
【技術分野】
【０００１】
本発明は、防音室や、クリーンルーム等、気密性を求められる構造物等を複数のパネル体を用いて形成する場合に用いられるパネル体の連結構造の技術分野に属するものである。
【背景技術】
【０００２】
一般に、防音室や、クリーンルーム等、気密性を求められる空間等の構造物を、複数のパネル体を連結して構成するようにしたものが知られており、この場合では、パネル体同士を連結部材を用いて連結することになる。
【０００３】
このような連結部材としては、連結する一対のパネル体の一方の連結面に、フックプレートが設けられたフック型パネルファスナー部材Ａを設ける一方、他方の連結面に、前記フックプレートが係止する受け金具が設けられたフック型パネルファスナー部材Ｂを設けて、パネル体の連結面同士を突き当てた状態でフックプレートを受け金具に係止させることにより、両パネル体同士を連結するようにしたものが提唱されている。
【特許文献１】実公平５−６４０３号公報
【発明の開示】
【発明が解決しようとする課題】
【０００４】
ところが、前記従来のものにおいて、パネル体の連結面が長尺状である場合では、連結面の長尺方向複数箇所にフック型パネルファスナー部材Ａ、Ｂを点在させる状態で設けてパネル体同士の連結がなされている。このため、これら連結面同士の間に例えば弾性変形自在な気密材を圧着状に挟み込んで、パネル体同士を気密状（封止状）に連結しようとした場合では、フック型パネルファスナー部材Ａ、Ｂが設けられる箇所においては気密材を集中的に圧着挟持することができるが、フック型パネルファスナー部材Ａ、Ｂから離れたこれらの中間部位では気密材の圧着力が小さくなり、気密性能のよい部分と悪い部分とが形成されてしまうことが想定されて問題があり、ここに本発明の解決すべき課題がある。
【課題を解決するための手段】
【０００５】
本発明は、上記の如き実情に鑑みこれらの課題を解決することを目的として創作されたものであって、請求項１の発明は、一対のパネル体を連結部材を用いて連結するにあたり、各パネル体の連結面の連結幅方向中間部に、対向する連結面側に向けて突出し、突出端部にガイド面が形成された連結突片を形成する一方、前記連結部材を、連結面の連結幅方向一方の端縁部側に沿って設けられ、各パネル体の連結突片の一方側面にそれぞれ当接する一対の脚片とこれら脚片を連結する連結片とを備えた第一連結体と、連結面の連結幅方向他方の端縁部側に沿って設けられ、各パネル体の連結突片の他方側面に当接する一対の脚片とこれら脚片を連結する連結片とを備えた第二連結体と、第一、第二連結体の連結片の対向間に、対向方向移動自在に配される第三連結体とにより構成し、前記第三連結体に、該第三連結体の第一、第二連結体の何れか一方に変位して一体化することにより、各パネル体の連結突片に干渉して各パネル体の連結面同士を近接させる作動片と、前記第三連結体の一方への変位により、他方の連結体の脚片に形成された係止片に係止して他方の連結体の抜止めをする係止受け片とを形成したパネル体の連結構造である。
請求項２の発明は、連結突片は、突出端部に突出先端側ほど他方の連結体側に偏寄する傾斜状のガイド面を備えたガイド片を形成する一方、第三連結体の作動片に、突出先端側ほど一方の連結体側に偏寄する傾斜状のガイド受け面を形成し、作動片の一方への変位に伴い、ガイド面がガイド受け面の突出基端側に向けて変位して、パネル体の連結面同士を近接させるように構成されている請求項１に記載のパネル体の連結構造である。
請求項３の発明は、パネル体の連結突片は、第一、第二連結体にそれぞれ対向する一対の突片により構成され、ガイド片は一方の突片の突出先端部に形成されている請求項１または２に記載のパネル体の連結構造である。
請求項４の発明は、第三連結体を一方の連結体側に変位せしめて一方の連結体に一体化する一体化手段は、一方の連結体側から螺入した螺子により構成されている請求項１乃至３の何れか１項に記載のパネル体の連結構造である。
請求項５の発明は、第三連結体には、一方の連結体の脚片に形成された係止片に係止して一方の連結体の抜け止めをする係止受け片が形成されている請求項１乃至４の何れか１項に記載のパネル体の連結構造である。
請求項６の発明は、連結部材は、一対のパネル体の端面同士を連結するように構成されている請求項１乃至５の何れか１項に記載のパネル体の連結構造である。
請求項７の発明は、連結部材は、一方のパネル体の端面と、他方のパネル体のパネル面とを連結するように構成されている請求項１乃至５の何れか１項に記載のパネル体の連結構造である。
【発明の効果】
【０００６】
請求項１の発明とすることにより、パネル体の連結面同士を近接変位させながら連結することができて、シール性の優れた連結状態とすることができる。
請求項２、３の発明とすることにより、構成の簡略化を図ることができる。
請求項４の発明とすることにより、連結ための作業箇所を少なくできて作業性の向上が図れる。
請求項５の発明とすることにより、連結部材を予め組込んで一つの構成部材として作業することができて、さらなる作業性の向上が図れる。
請求項６、７の発明とすることにより、汎用性の高い連結部材とすることができる。
【発明を実施するための最良の形態】
【０００７】
つぎに、本発明の実施の形態について、図面に基づいて説明する。
図面において、１は気密性に優れた気密ルームであって、該気密ルーム１は、天井部ＵＳ、床部ＧＳ、これらの間を連結する前後左右の四側片部ＦＳ、ＢＳ、ＬＳ、ＲＳとを備えた六面体により構成されており、これら四側片部ＦＳ、ＢＳ、ＬＳ、ＲＳのうち、任意の側片部（本実施の形態では前側片部ＦＳ）に出入り口部Ｄが開閉自在に設けられている。
そして、気密ルーム１の六側面となる各部ＵＳ、ＧＳ、ＦＳ、ＢＳ、ＬＳ、ＲＳは、それぞれ複数（三枚）のパネル体２、３、４を連結部材５を用いて連結することにより一体化され、これら各部ＵＳ、ＧＳ、ＦＳ、ＢＳ、ＬＳ、ＲＳ同士の連結についても連結部材５、または、該連結部材５の一部を変更した変更型連結部材１５を用いることにより連結されている。
【０００８】
つぎに、本発明が実施された連結部材５の構成について、図２、３を用いて説明する。
前記図２、３は、気密ルーム１の各部ＵＳ、ＧＳ、ＦＳ、ＢＳ、ＬＳ、ＲＳを構成する各パネル体２、３、４のうち、前側片ＦＳのパネル体２、３を連結部材５により連結した状態を平面断面図として示しており、該図面を基準として連結部材５の構成、作用について説明する。
前記各パネル体２、３は、前後一対の面板２ａ、３ａの間にコア材２ｂ、３ｂを介装して構成されており、左側のパネル体２の右端部と右側のパネル体３の左端部とには、それぞれ角柱長尺状の端部材２ｃ、３ｃが介装されており、これら端部材２ｃ、３ｃの上下方向に長い右端面、左端面がそれぞれ本発明の連結面２ｄ、３ｄに相当している。前記連結面２ｄ、３ｄの前後方向中間部（連結面２ｄ、３ｄの幅方向中間部）には上下方向長尺状の凹部２ｅ、３ｅが形成されており、これら凹部２ｅ、３ｅに、本発明の連結突片を構成する長尺状のパネル側連結体６がそれぞれ上下方向全長にわたって設けられている。
ここで、パネル側連結体６のパネル体２、３の各端面同士に設けられており、連結部材５はパネル体の端面同士を連結する構成となっている。
【０００９】
前記パネル側連結体６は、本実施の形態では、パネル体２、３とは別部材としてパネル体２、３に抜け止め状に設けられる構成となっているが、パネル体２、３に一体的に形成する構成としてもよい。また、前記パネル側連結体６は、前後方向中間部を基準として線対称状に形成されており、前後方向に反転させることにより、一対のパネル体２、３に対して同じパネル側連結体６を用いることができるように構成されている。
前記パネル側連結体６は、凹部２ｅ、３ｅの溝側片２ｆ、３ｆに沿う一対の支持片６ａと、これら支持片６ａを連結し、パネル体連結面２ｄ、３ｄと略面一状に配される中間片６ｂと、該中間片６ｂの前後端縁部から、対向する連結面２ｄ、３ｄに向けて突出する前後一対の前後側突片６ｃを備えて構成されており、これら一対の前後側突片６ｃが本発明の連結突片に相当している。そして、パネル側連結体６は、溝側片２ｆ、３ｆに形成された抜止め溝２ｇ、３ｇに支持片６ａに突設した抜止め突起６ｄを係止させる状態に組込むことで、凹部２ｅ、３ｅに抜止め状に設けられている。そして、各パネル側連結体６の前後側突片６ｃは、各突出先端部がそれぞれガイド片６ｅに構成されており、前方に位置する前方ガイド片６ｄの後側面は、突出端側ほど後方に偏寄する傾斜状の前方ガイド面６ｆが形成され、後方に位置する後方ガイド片６ｅの前側面は、突出端側ほど前方に偏寄する傾斜状の後方ガイド面６ｆがそれぞれ形成され、これらガイド片６ｅの対向間に所定の間隙Ｈ１が形成されるように設定されている。
【００１０】
一方、パネル体２、３同士を連結する連結部材５は、各連結面２ｄ、３ｄに沿って長尺状に形成された前後一対の第一、第二、第三連結体７、８と、これら第一、第二連結体７、８の対向間に配される長尺状の第三連結体９とにより構成されている。
前記第一連結体７（本発明の他方の連結体に相当する）は、各パネル体連結面２ｄ、３ｄの幅方向一方の端縁部（パネル体２、３の前面板２ａ、３ａ）に沿って前方に設けられる部材であって、各パネル体２、３にそれぞれ設けたパネル側連結体６の前側面（一方側面）となる前側突片６ｃの前端面にそれぞれ当接する左右一対の第一脚片７ａと、これら第一脚片７ａを連結する第一連結片７ｂとにより平面視冂字形状に形成されている。そして、第一連結体７は、各第一脚片７ａを前側突片６ｃに突き当てた状態で第一連結片７ｂの前面が各パネル体２、３の前面板２ａ、３ａと面一状となるように寸法設定されている。また、第一連結体脚片７ａの先端部には、互に近接する方向に突出する第一係止片７ｃが形成されている。
【００１１】
前記第二連結体８（本発明の一方の連結体に相当する）は、第一連結体７を前後方向に反転することにより同一部材を用いることができるように構成されている。そして、第二連結体８は、各パネル体連結面２ｄ、３ｄの他方の端縁部である後方に設けられる部材であり、各パネル体２、３にそれぞれ設けられたパネル側連結体６の後側面（他方側面）となる、後側突片６ｃの後端面にそれぞれ当接する左右一対の第二脚片８ａと、これら第二脚片８ａを連結する第二連結片８ｂとにより平面視冂字形状に形成されている。そして、第二連結体８は、各第二脚片８ａを後側突片６ｃに突き当てた状態で第二連結片８ｂの後面が各パネル体２、３の後面板２ａ、３ａと面一状となるように寸法設定されている。また、第二連結体脚片８ａの先端部には、互に近接する方向に突出する第二係止片８ｃが形成されている。さらに、第二連結片８ｂには、後述する螺子１０が貫通する貫通孔８ｄが上下方向所定間隙を存して複数形成されている。
【００１２】
前記第三連結体９は、第一、第二連結体７、８を隣接パネル体２、３のパネル側連結体６の前後側突片６ｃに突き当てたとき、第一、第二連結片７ｂ、８ｂの対向間に形成される空間に配されるように構成されている。前記第三連結体９の前後方向長さＬは、第一、第二連結片７ｂ、８ｂの対向間距離Ｌ１よりも短く形成（Ｌ＜Ｌ１）されており、第一、第二連結片７ｂ、８ｂとの対向間において前後方向（対向方向）にスライド移動自在に構成されている。
さらに、第三連結体９は、一対のパネル側連結体６の前後側突片６ｃの対向間に配される細幅状部を備えた本体部９ａと、該本体部９ａの前後方向中間部に位置して左右方向に突出する左右一対のガイド受け片（本発明の作動片に相当する）９ｂとがそれぞれ形成されているが、これら左右のガイド受け片９ｂの前後方向長さＨは、それぞれガイド片６ｅの対向間の間隙Ｈ１よりも短く形成（Ｈ＜Ｈ１）されている。そして、これら左右ガイド受け片９ｂの突出先端部の後側面には、突出先端側ほど第一連結体７側に偏寄する傾斜面であって、前記パネル側連結体６の後方ガイド面６ｆに対向する傾斜面に形成されたガイド受け面９ｃが形成されている。また、第三連結体９は、本体部９ａ左右側部の前方部位に位置して、一対の第一連結体脚片７ａの先端部に形成された第一係止片７ｃにそれぞれ係止する左右一対の第一係止受け片９ｄが左右方向に突出形成されているとともに、本体部９ａ左右側部の後方部位に位置して、一対の第二連結体脚片８ｃの先端部に形成された第二係止片８ｃにそれぞれ係止する左右一対の第二係止受け片９ｅが左右方向に突出形成されている。
そして、第三連結体９の本体部９ａの後側面９ｆには、前方が開口された凹状部９ｇが上下方向長尺状に切欠き形成されており、該凹状部９ｇには、第二連結体８と第三連結体９との一体化手段としての螺子１０が螺合するナット１１が、前記第二連結体８に形成された貫通孔８ｄに連通する状態でそれぞれ抜止め状に設けられている。
【００１３】
さらに、第一、第二連結体７、８の各脚片７ａ、８ａの左右の外端面には、それぞれ弾性変形自在に構成されたシール材１２が貼着等の一体化手段により設けられているが、連結部材５（第一、第二連結体７、８）は、シール材１２が弾性変形しない自然状態において左右長さＷ１を有するように設定されている。
そして、連結部材５は、図２に示すように、第一、第二連結体７、８の第一、第二連結片７ｂ、８ｂの前後面をパネル体２、３の前後面板２ａ、３ａと位置合わせした状態、即ち、脚片７ａ、８ａの先端部を、各パネル体２、３に設けられたパネル側連結体６の前後側突片６ｃの前後側面にそれぞれ当接した状態とするとともに、第三連結体９の前記一対のガイド受け片９ｂを、パネル側連結体６の前後側ガイド片６ｃの対向間に嵌入し、かつ、後側面９ｆを第二連結体８の第二連結片８ｂに当接するよう後方に偏寄した姿勢（後述する連結部材５の連結姿勢）とすることにより、第三連結体ガイド受け面９ｃと後方ガイド面６ｆとが左右方向に係止してパネル体側連結体６が抜止めされてパネル体２、３同士を連結状態とするとともに、第三連結体９の左右の第一係止受け片９ｄが一対の第一連結体脚片７ａの第一係止片７ｃに係止して第一連結体７の抜止めがなされるように構成されている。そして、前記連結部材５の連結姿勢は、一体化手段としての螺子１０を第二連結体８側から螺入して第三連結体９のナット１１に螺合して、第二、第三連結体８、９とを一体化することにより保持されるように構成されている。
また、連結部材５は、パネル体２、３を連結する連結姿勢になることにより、一対のパネル体連結面２ｄ、３ｄの対向間隔Ｗを、前記シール材１２が弾性変形しないときの左右長さＷ１よりも短くするように寸法設定されており、これによって、シール材１２が一対のパネル体２、３により圧着した状態に挟持されるようになり、連結部における気密性が確実に図れるように構成されている。
【００１４】
つぎに、連結部材５によるパネル体２、３の連結手順について図４を用いて説明する。
まず、シール材１２が設けられた第一、第二連結体７、８と第三連結体９とを予め一体組込みするが、このとき、第三連結体９は、本体部９ａの左右方向側面の前後に設けられた第一、第二係止受け片９ｄ、９ｅが第一、第二連結体７、８の第一、第二係止片７ｃ、８ｃにそれぞれ係止することにより互に抜け止めされた状態となるように構成されている。そして、螺子１０を後方、即ち、気密ルーム１の内側に位置する第二連結体貫通孔８ｄから挿入し、第三連結体９に固定したナット１１に浅く螺合した仮止め状態とする。
続いて、前記組込まれた連結部材５を、パネル体２、３の連結面２ｄ、３ｄ同士の間に仮組込みする。この仮組込みでは、第二連結体８の第二脚片８ａの先端を、各パネル体２、３に設けたパネル体側連結体６の後側突片６ｃに突き当たる状態とすることで、第二連結片８ｂを各パネル体２、３の後面板２ａ、３ａに位置合わせするように構成されている。つぎに、第三連結体９のガイド受け片９ｂを各パネル体２、３にそれぞれ設けたパネル体側連結体６の前後側突片６ｃの間に嵌入する。このとき、図４の実線で示すように、前方に位置する第一連結体７をパネル体２、３の前面板２ａ、３ａよりも前方に変位させた状態とし、かつ、第三連結体９を第一連結体７側に偏寄させる状態として、ガイド受け片９ｂを前後側突片６ｃの中間部に位置させることにより、これらの間に嵌入させることができるように構成されている。
【００１５】
前記仮組込み状態において、パネル体側連結体後側突片６ｃの後方ガイド面６ｆと、第三連結体ガイド受け面９ｃとは前後方向、左右方向共に離間する状態となっており、第一連結体７の第一係止片７ｃと第三連結体９の第一係止受け片９ｄとは前後方向に離間する状態となっている。そして、前記螺子１０をナット１１に対して螺合して第三連結体９を第二連結体８側に変位させることにより、ガイド受け面９ｃがパネル側連結体６の後方ガイド面６ｆに次第に近付いて当接し、該後方ガイド面６ｆがガイド受け面９ｃと第二連結体脚片８ｃとの間に挟持される。この状態から、さらに螺子１０を螺合する過程において、ガイド受け面９ｃと第二連結体脚片８ｃとに挟持される後方ガイド面６ｆは、ガイド受け面９ｃが第二連結体８側に変位するのを受けてガイド受け面９ｃに深く係止する状態にガイドされて、第三連結体８側に引き寄せられる（パネル体側連結体６（パネル体２、３）が第三連結体９側に変位して）ようになることでパネル体２、３を近接する方向に変位せしめるように設定されている。この状態になると、後側突片６ｃとガイド受け片９ｂとが抜止め状に係止される状態となる一方、第三連結体９の第一係止受け片９ｄが第一連結体７の第一係止片７ｃに係止して、第一連結体７を第二連結体８側に変位させて、第一脚片７ａの先端がパネル体側連結体６の前側突片６ｃに当接して、第一連結片７ｂとパネル体２、３の前面板２ａ、３ａとが面一状になるように設定されている。この状態は、図３および図４の仮想線で示す連結部材５の連結姿勢であり、連結部材５は、螺子１０により一体化された第二、第三連結体８、９の脚片８ｃとガイド受け片９ｂとが、パネル側連結体６の後側突片６ｃを挟持する状態でパネル体２、３を連結し、該パネル体２、３を抜止め状に連結する第三連結体９が第一連結体７を抜け止めする状態で保持される状態となっている。そして、このとき、第一、第二連結体７、８は、連結片７ｂ、８ｂがそれぞれパネル体２、３の前後面板２ａ、３ａと面一状となるように構成されている。
さらに、この連結状態において、パネル体２、３の連結面２ｄ、３ｄ同士は対向間隔Ｗに設定され、前述したように、シール材１２が一対のパネル体２、３により圧着された状態に挟持されて、パネル体２、３の連結部における気密性の向上が図れるとともに、安定した連結状態が確立されるように構成されている。しかも、連結部材５は、上下方向複数設箇所において螺入した螺子１０により、連結部材５の全長にわたって第三連結体９を変位させ、これによって、パネル体２、３同士を近接させる変位がなされるとともに、シール材１２を螺子１０配設部だけでなく、連結部材５配設部位である連結面２ｄ、３ｄの全長において圧着させることができるように構成されている。
【００１６】
このように、連結部材５はパネル体２、３、４の端面となる連結面２ｄ、３ｄ、４ｄ同士を気密状に行える構成であるが、さらに、一方のパネル体２と他方のパネル体３の何れか一方のパネル面３ａとを連結することもでき、その構成を、図５、７を用いて説明する。
図５は、気密ルーム１の縦断面図であり、図７（Ａ）、（Ｂ）はそれぞれ図５の要部拡大図となっている。ここでは、図７（Ａ）に示される天井部ＵＳのパネル体２の下側の面板２ａと左側片部ＬＳのパネル体４の上端面との連結状態について説明する。
この場合に、天井部ＵＳのパネル体２は、左側端面に横端部材１３が設けられ、該横端部材１３の下面１３ａがパネル体２の連結面１３ａとして用いられるように構成されており、該連結面１３ａに形成された凹部１３ｂに、前記パネル側連結体６が抜止め状に設けられている。一方、左側片部ＬＳのパネル体４の上端面には端部材４ｃが設けられており、該端部材４ｃの上端面（連結面）４ｄに形成された凹部４ｅパネル側連結体６が抜止め状に設けられている。そして、これらパネル側連結体６の間に、シール材１２が設けられた第一、第二連結体７、８と第三連結体９とが組込まれた連結部材５を仮組込みするが、この場合に、連結部材５は前後方向長尺状となる姿勢で、かつ、気密ルーム１の屋外側に第一連結体７、屋内側に第二連結体８が位置する状態で設けられ、この状態から、気密ルーム１の屋内側から螺子１０を緊締することにより、シール材１２がパネル体２、４との間に圧着状に挟持されて、該連結部における気密性の向上が図れるように構成されている。
【００１７】
このように、天井部ＵＳと前後左右側片部ＦＳ、ＢＳ、ＬＳ、ＲＳ、床部ＧＳと前後左右側片部ＦＳ、ＢＳ、ＬＳ、ＲＳとの連結は、それぞれ天井部ＵＳ、床部ＧＳを構成するパネル体２、３、４に横端部材１３を連結することにより、連結部材５を用いて同様の構成で連結できるようになっている。
また、前後左右側片部ＦＳ、ＢＳ、ＬＳ、ＲＳ同士の連結となる各コーナー部における連結は、図４、６、８に示すように、それぞれ上下方向長尺状のコーナーポスト１４を用いて連結するように構成されており、ここでは、後側片部ＢＳを構成するパネル体２と左側片部ＬＳを構成するパネル体４との連結部について図８を用いて説明する。
前記コーナーポスト１４は角柱形状に形成されており、パネル体４の後端面に設けられる端部材４ｃにパネル側連結体６が設けられ、該端部材４ｃに対向するコーナーポスト１４の前端面（連結面）１４ａには、パネル側連結体６の前後側突片６ｃと同形状の一対の突片１４ｂが一体形成されている。そして、コーナーポスト１４とパネル体４との間に、シール材１２が設けられた第一、第二連結体７、８と第三連結体９とが組込まれた連結部材５を仮組込みするが、この場合に、連結部材５は上下方向長尺状となる姿勢で、かつ、気密ルーム１の屋外側に第一連結体７、屋内側に第二連結体８が位置する状態で設けられ、この状態から、気密ルーム１の屋内側から螺子１０を緊締することにより、シール材１２がパネル体４とコーナーポスト１４との間に圧着状に挟持されて、該連結部における気密性の向上が図られるように構成されている。
【００１８】
また、コーナーポスト１４には、パネル体２の左側端面に設けられる端部材２ｃに対向する右端面（連結面）１４ｃが形成されるが、該右端面１４ｃの前後方向長さが、パネル体２のパネル厚よりも短くなるように形成されている。ここで用いられる変更型連結部材１５は、前記連結部材５の第一、第二連結体７、８に相当する第四、第五連結体１６、１７がつぎのように変更された形状に形成されており、第三連結体９に相当する第六連結体１８は、第三連結体９と同様に構成されている。
つまり、前記第四、第五連結体１６、１７は、一対の第四、第五脚片１６ａ、１７ａと、これらを連結する第四、第五連結片１６ｂ、１７ｂとを備えて構成され、第四、第五脚片１６ａ、１７ａの先端部に第四、第五係止片１６ｃ、１７ｃが形成されている。さらに、第四、第五連結片１６ｂ、１７ｂは、コーナーポスト１４の右端面１４ｃの前後面１４ｄ、１４ｅに近接対向するよう延出する延出片１６ｄ、１７ｄが形成されている。そして、コーナーポスト１４とパネル体２との間に、延出片１６ｄ、１７ｄの対向面と、パネル体２側の脚片１６ａ、１７ａとにシール材１２が設けられた第四、第五連結体１６、１７と第六連結体１８とが組込まれた連結部材１５を仮組込みするが、この場合に、連結部材１５は、上下方向長尺状となる姿勢で、気密ルーム１の屋外側に第一連結体１６、屋内側に第二連結体１７が位置し、各延出片１６ｄ、１７ｄがコーナーポスト１４の右端面１４ｃに続く前後面１４ｄ、１４ｅにあてがわれる状態で設けられ、この状態から、気密ルーム１の屋内側から螺子１０を緊締することにより、シール材１２がコーナーポスト１４の前後面において圧着され、かつ、パネル体４と連結部材１５の間において圧着された状態で挟持され、該連結部における気密性の向上が図られるように構成されている。さらに、コーナーポスト１４を用いて連結した場合では、コーナーポスト右端面１４ｃの前後面１４ｄ、１４ｅに対する第四、第五連結体１６、１７の延出片１６ｄ、１７ｄの積層長さを調整することで、各側片部ＦＳ、ＢＳ、ＬＳ、ＲＳの寸法誤差、取付け誤差により発生する寸法誤差を調整することができるように構成されている。
【００１９】
このように、予め床部ＧＳをパネル体２、３、４と連結部材５と横端部材１３とを用いて形成し、該床部ＧＳに、前後左右の側片部ＦＳ、ＢＳ、ＬＳ、ＲＳを構成するためのパネル体２、３、４とコーナーポスト１４と連結部材５、１５とを用いて形成し、最後に、天井部ＵＳをパネル体２、３、４と連結部材５と横端部材１３とを用いて形成することにより、気密ルーム１を構成することができるが、このとき、気密ルーム１は、部品点数が少なく、組み込み作業が容易で、しかも、各連結部材５、１５を用いた連結部における気密性が優れたものにすることができ、しかも、一体化手段としての螺子１０が気密ルーム１の内側からの作業とすることができて、作業性の向上、意匠性の向上が図れるように構成されている。
尚、実施の形態において説明した以外の部所についての連結部材５、変更型連結部材１５による連結構成は、図面において同様の機能を示す部材に同様の符号を付すことにより説明を省略する。
【００２０】
叙述の如く構成された本形態において、気密ルーム１は、複数のパネル体２、３、４を連結部材５により連結して構成されるが、この場合に、例えば、パネル体２、３において、パネル体２、３の連結面２ｄ、３ｄ（端面）同士のあいだは、連結面２ｄ、３ｄに沿い、該連結面２ｄ、３ｄ一帯に配設された連結部材５を用いて連結され、連結部材５の第一、第二連結体７、８の対向間に配される第三連結体９を連結面２ｄ、３ｄの幅方向一方の端縁側に変位して該一方の第二連結体８に一体化させることにより、第一、第二連結体７、８に対するパネル連結面２ｄ、３ｄとの間隔を近接変位させながらパネル体２、３同士を連結する構成であるので、連結面２ｄ、３ｄ同士のあいだに設けたシール材１２を、第一、第二連結体連結面２ｄ、３ｄの全長にわたって均一な状態で圧着状に挟持させることができて、シール性の優れた気密ルーム１を形成することができる。
【００２１】
このように、本発明が実施された連結部材５は、連結面２ｄ、３ｄの間に設けたシール材１２を全長にわたって圧着状に挟持できるものであるが、第三連結体９を一方の端縁部に変位させるための構造は、パネル体２、３側に設けたパネル側連結体６に、第一、第二連結体７、８の位置決め用として形成された連結突片６ｃに形成されたガイド片６ｅの傾斜状の後方ガイド面６ｆと、第三連結体９のガイド受け片９ｂに形成した傾斜状のガイド受け面９ｃとしたので、構成の簡略化を図ることができる。
【００２２】
さらに、このものにおいて、第三連結体９を第二連結体８側に変位させて、パネル体２、３同士を連結して一体化するための手段として、所定間隙を存して第二連結体８側から螺入される螺子１０を第三連結体９に螺合する構成としたので、シール材１２を連結面２ｄ、３ｄ一帯に圧着させた状態でパネル体２、３同士を連結できるものでありながら、連結作業の箇所を少なくすることができて作業性の向上を図ることができる。
【００２３】
また、このものでは、第一、第二連結体７、８の両者を第三連結体９から抜止めできるように構成したので、連結部材５を予め組込んで一つの構成部材として作業することができて、さらなる作業性の向上を図れる。
【００２４】
しかも、このものでは、パネル体２、３、４同士を連結する場合に、例えばパネル体２、３の端面同士の連結、一方の端面と、他方のパネル面との連結等、適宜箇所にパネル側連結体６を設けることで、連結部材５による連結を行うことができ、少ない部品点数で容易に構造物を組立てることが可能となって、汎用性の高い連結部材とすることができる。
【図面の簡単な説明】
【００２５】
【図１】クリーンルームの概略斜視図である。
【図２】連結部材による連結状態を説明する断面図である。
【図３】連結部材による連結状態を説明する要部拡大断面図である。
【図４】クリーンルームの組立て状態を説明する要部の分解斜視図である。
【図５】クリーンルームの縦断面図である。
【図６】クリーンルームの横断面図である。
【図７】図７（Ａ）、（Ｂ）は、それぞれ図５の左上部拡大図、左下部拡大図である。
【図８】図６の左上部拡大図である。
【符号の説明】
【００２６】
１    気密ルーム
２    パネル体
２ｄ    連結面
３    パネル体
５    連結部材
６    パネル側連結体
６ｃ    突片
６ｆ    ガイド面
７    第一連結体
７ａ    第一脚片
７ｂ    第一連結片
８    第二連結体
９    第三連結体
９ｂ    ガイド受け片
９ｃ    ガイド受け面
１０    螺子
１１    ナット
１２    シール材
１３    横端部材
１４    コーナーポスト
【図１】
0005074964.tif 000002
【図２】
0005074964.tif 000003
【図３】
0005074964.tif 000004
【図４】
0005074964.tif 000005
【図５】
0005074964.tif 000006
【図６】
0005074964.tif 000007
【図７】
0005074964.tif 000008
【図８】
0005074964.tif 000009